(57)【特許請求の範囲】
【請求項１】
出品情報と注目度合に応じ、注目度合が所定値よりも低い場合に現在価格を所定額だけ低下させる価格変動条件を入力し、データベースに登録する手段と、
出品情報をクライアントからの要求に応じて当該クライアントに送信して閲覧させるとともに、現在価格に対する入札を受け付けて取引を即座に成立させる手段と、
出品案件毎に注目度合を測定して管理する手段と、
前記価格変動条件を判断し、該当する場合に出品情報の現在価格を更新する手段と
を備え、
前記注目度合は、出品情報を提供する商品画面のアクセス数およびウオッチリスト登録数に応じた値である
ことを特徴とする即決価格変動型オークションサーバ。
【請求項２】
請求項１に記載の即決価格変動型オークションサーバにおいて、
前記価格変動条件は、出品後ある時点までに必要なアクセス数もしくはウオッチリスト登録数の設定と、設定したアクセス数もしくはウオッチリスト登録数に満たなかった場合に出品価格を引き下げる金額の設定とを含む
ことを特徴とする即決価格変動型オークションサーバ。
【請求項３】
請求項１に記載の即決価格変動型オークションサーバにおいて、
前記価格変動条件は、出品後ある時点までに必要なアクセス数もしくはウオッチリスト登録数の設定と、設定したアクセス数もしくはウオッチリスト登録数に満たなかった場合に発動する表示オプションの設定とを含む
ことを特徴とする即決価格変動型オークションサーバ。
【請求項４】
請求項３に記載の即決価格変動型オークションサーバにおいて、
前記表示オプションは、注目のオークションへの表示、ショーケースへの表示、太字テキスト化、背景色付加、目立ちアイコン付加、表示順位変更のいずれかを含む
ことを特徴とする即決価格変動型オークションサーバ。
【請求項５】
サーバが、出品情報と注目度合に応じ、注目度合が所定値よりも低い場合に現在価格を所定額だけ低下させる価格変動条件を入力し、データベースに登録する工程と、
前記サーバが、出品情報をクライアントからの要求に応じて当該クライアントに送信して閲覧させるとともに、現在価格に対する入札を受け付けて取引を即座に成立させる工程と、
前記サーバが、出品案件毎に注目度合を測定して管理する工程と、
前記サーバが、前記価格変動条件を判断し、該当する場合に出品情報の現在価格を更新する工程と
を備え、
前記注目度合は、出品情報を提供する商品画面のアクセス数およびウオッチリスト登録数に応じた値である
ことを特徴とする即決価格変動型オークション制御方法。
【請求項６】
ネットワークに接続されたサーバを構成するコンピュータを、
出品情報と注目度合に応じ、注目度合が所定値よりも低い場合に現在価格を所定額だけ低下させる価格変動条件を入力し、データベースに登録する手段、
出品情報をクライアントからの要求に応じて当該クライアントに送信して閲覧させるとともに、現在価格に対する入札を受け付けて取引を即座に成立させる手段、
出品案件毎に注目度合を測定して管理する手段、
前記価格変動条件を判断し、該当する場合に出品情報の現在価格を更新する手段
として機能させ、
前記注目度合は、出品情報を提供する商品画面のアクセス数およびウオッチリスト登録数に応じた値である
即決価格変動型オークション制御プログラム。
【発明の詳細な説明】
【技術分野】
【０００１】
本発明は、インターネット等のネットワークを用いたオークションの制御技術に関する。
【背景技術】
【０００２】
出品価格に設定された金額で入札すると、他の入札者と競ることなしに落札が決定する「即決方式」のオークションが行われている。この場合、いったん即決（固定）価格で出品したものは通常のショッピングと同様に、基本的に出品期間が終了するまで同価格でしか取引（入札〜落札）できない。
【０００３】
また、不動産等では出品価格が時間の経過とともに下落する「競り下がり方式」のオークションが行われている。
【０００４】
特許文献１には、商品の価格を商品の提示開始時刻からの時間の経過に基づいて変動させる価格変動情報に基づいて、商品の価格を変動させるオークションシステムが開示されている。
【特許文献１】特開２００２−７４０７５号公報
【発明の開示】
【発明が解決しようとする課題】
【０００５】
上述した即決方式のオークションでは、出品時に商品価格を設定した場合、その価格が相場よりも高いと判断されれば、出品期間が終了するまで入札者が付かず、出品者にとっては販売の機会を失い、購入者側にとっても購入の機会を失うことになる。また、出品期間経過後、出品者は出品価格を見直した上で再度出品しなければならず、手間がかかるという問題があった。
【０００６】
また、競り下がり方式のオークションでは、通常最初の出品価格を高く設定することが多く、ある程度の価格に下がって入札者が現れるまでの期間が無駄になるという問題があった。
【０００７】
更に、インターネットオークションのようなＣｔｏＣ（Consumer to Consumer）の取引の多いオークションにおいては、一般人の出品者が多く、中古品やプレミアムの付いた商品を出品する場合、即決方式のオークションや競り下がり方式のオークションの価格相場が分からず、妥当な出品価格を自らの判断で設定するのが難しいという問題があった。
【０００８】
一方、特許文献１では、もっぱらオークションの時間の経過と入札の有無に着目して出品価格の引き下げを行っているが、一般的にインターネットオークションで入札が集中するのは出品期間終了間際であることが多く、時間の経過に応じて出品価格を引き下げることが必ずしも合理的であるとはいえない。すなわち、出品内容に興味を持ち、注目してはいても、他者による入札の状況を踏まえてから入札しようと考えている者も多く、入札がされていないことが注目されていない商品であるとは限らない。そのため、単に時間の経過に応じて出品価格を引き下げることは、高い価格で販売できる機会を失わせ、出品者の本来得られるべき利益を損なうおそれがある。
【０００９】
本発明は上記の従来の問題点に鑑み提案されたものであり、その目的とするところは、出品への注目度合に応じて出品価格を変動することで、適切な価格で効率的に取引を成立させることのできる即決価格変動型オークションサーバを提供することにある。
【課題を解決するための手段】
【００１０】
上記の課題を解決するため、本発明にあっては、請求項１に記載されるように、出品情報と注目度合に応じ、注目度合が所定値よりも低い場合に現在価格を所定額だけ低下させる価格変動条件を入力し、データベースに登録する手段と、出品情報をクライアントからの要求に応じて当該クライアントに送信して閲覧させるとともに、現在価格に対する入札を受け付けて取引を即座に成立させる手段と、出品案件毎に注目度合を測定して管理する手段と、前記価格変動条件を判断し、該当する場合に出品情報の現在価格を更新する手段とを備え、前記注目度合は、出品情報を提供する商品画面のアクセス数およびウオッチリスト登録数に応じた値である即決価格変動型オークションサーバを要旨としている。
【００１２】
また、請求項２に記載されるように、請求項１に記載の即決価格変動型オークションサーバにおいて、前記価格変動条件は、出品後ある時点までに必要なアクセス数もしくはウオッチリスト登録数の設定と、設定したアクセス数もしくはウオッチリスト登録数に満たなかった場合に出品価格を引き下げる金額の設定とを含むものとすることができる。
【００１３】
また、請求項３に記載されるように、請求項１に記載の即決価格変動型オークションサーバにおいて、前記価格変動条件は、出品後ある時点までに必要なアクセス数もしくはウオッチリスト登録数の設定と、設定したアクセス数もしくはウオッチリスト登録数に満たなかった場合に発動する表示オプションの設定とを含むものとすることができる。
【００１４】
また、請求項４に記載されるように、請求項３に記載の即決価格変動型オークションサーバにおいて、前記表示オプションは、注目のオークションへの表示、ショーケースへの表示、太字テキスト化、背景色付加、目立ちアイコン付加、表示順位変更のいずれかを含むものとすることができる。
【００１５】
また、請求項５に記載されるように、サーバが、出品情報と注目度合に応じ、注目度合が所定値よりも低い場合に現在価格を所定額だけ低下させる価格変動条件を入力し、データベースに登録する工程と、前記サーバが、出品情報をクライアントからの要求に応じて当該クライアントに送信して閲覧させるとともに、現在価格に対する入札を受け付けて取引を即座に成立させる工程と、前記サーバが、出品案件毎に注目度合を測定して管理する工程と、前記サーバが、前記価格変動条件を判断し、該当する場合に出品情報の現在価格を更新する工程とを備え、前記注目度合は、出品情報を提供する商品画面のアクセス数およびウオッチリスト登録数に応じた値である即決価格変動型オークション制御方法として構成することができる。
【００１６】
また、請求項６に記載されるように、ネットワークに接続されたサーバを構成するコンピュータを、出品情報と注目度合に応じ、注目度合が所定値よりも低い場合に現在価格を所定額だけ低下させる価格変動条件を入力し、データベースに登録する手段、出品情報をクライアントからの要求に応じて当該クライアントに送信して閲覧させるとともに、現在価格に対する入札を受け付けて取引を即座に成立させる手段、出品案件毎に注目度合を測定して管理する手段、前記価格変動条件を判断し、該当する場合に出品情報の現在価格を更新する手段として機能させ、前記注目度合は、出品情報を提供する商品画面のアクセス数およびウオッチリスト登録数に応じた値である即決価格変動型オークション制御プログラムとして構成することができる。
【発明の効果】
【００１７】
本発明の即決価格変動型オークションサーバにあっては、出品への注目度合に応じて出品価格を変動することで、適切な価格で効率的に取引を成立させることができる。
【発明を実施するための最良の形態】
【００１８】
以下、本発明の好適な実施形態につき説明する。
【００１９】
<システム構成>
図１は本発明の一実施形態にかかるシステムの構成例を示す図である。
【００２０】
図１において、オークションサーバ１はインターネット等のネットワーク２に接続されており、出品者Ａの操作するクライアント端末３Ａおよび入札者Ｂの操作するクライアント端末３Ｂからネットワーク２を介してオークションサーバ１にアクセスできるようになっている。クライアント端末３Ａ、３Ｂにはオークションサーバ１へアクセスするためのブラウザが設けられている。
【００２１】
オークションサーバ１は、機能部として出品受付部１０１、出品情報登録部１０２、商品画面生成・掲載部１０３、条件発生監視部１０４、出品情報制御部１０５、商品画面閲覧制御部１０６、アクセス管理部１０７、ウオッチリスト管理部１０８、入札受付部１０９、落札者決定部１１０、通知部１１１を備え、データベースとして出品情報データベース１２１、アクセス管理データベース１２２、ウオッチリスト管理データベース１２３、ユーザ情報データベース１２４を備えている。機能部１０１〜１１１は、オークションサーバ１を構成するコンピュータのＣＰＵ（Central Processing Unit）、ＲＯＭ（Read Only Memory）、ＲＡＭ（Random Access Memory）等のハードウェア資源上で実行されるコンピュータプログラムによって実現されるものである。また、データベース１２１〜１２４はＨＤＤ（Hard Disk Drive）等の記憶媒体上にデータを体系的に保持するものである。なお、データベース１２１〜１２４はオークションサーバ１の内部に設けるほか、他のサーバに配置することも可能である。
【００２２】
出品受付部１０１は、出品者Ａの操作するクライアント端末３Ａ等からの要求に応じて出品画面を提供し、必要な情報を出品画面に入力させることで、オークションへの出品を受け付ける機能を有している。
【００２３】
出品情報登録部１０２は、出品画面に入力された出品情報および価格変動等についての条件を抽出して出品情報データベース１２１に登録する機能を有している。
【００２４】
商品画面生成・掲載部１０３は、出品情報に基づいて閲覧・入札用の商品画面を生成し、閲覧可能な状態に掲載する機能を有している。
【００２５】
条件発生監視部１０４は、全オークション案件につき、出品が掲載されてから掲載が終了するまで、それぞれの出品者により設定された条件に該当する状況が発生するかどうかを監視し、発生した場合に条件に従って価格更新等を行う機能を有している。
【００２６】
出品情報制御部１０５は、条件発生監視部１０４、アクセス管理部１０７、ウオッチリスト管理部１０８からの要求に基づいて出品情報データベース１２１の対応するオークション案件の情報を更新する機能を有している。
【００２７】
商品画面閲覧制御部１０６は、入札者Ｂの操作するクライアント端末３Ｂ等からの要求に応じて、商品の閲覧および入札を行うための商品画面を提供する機能を有している。
【００２８】
アクセス管理部１０７は、商品画面へのアクセス数をアクセス管理データベース１２２に登録して管理する機能を有している。
【００２９】
ウオッチリスト管理部１０８は、閲覧者が商品画面をウオッチリストに登録（追加）する操作に応じて、ウオッチリスト管理データベース１２３への登録を行うとともに、商品画面毎のウオッチリスト登録数を集計する機能を有している。なお、ウオッチリストとは、ブックマークもしくはお気に入り登録と同等のものであり、ウオッチリストに登録した商品画面をウオッチリストから容易に参照することが可能になる。
【００３０】
入札受付部１０９は、商品画面から入札操作が行われることに応じ、入札を受け付ける機能を有している。
【００３１】
落札者決定部１１０は、受け付けた入札から落札者を決定し、商品画面を落札済に変更する機能を有している。なお、即決方式のオークションでは、原則として、入札時点で入札者に落札が行われる。
【００３２】
通知部１１１は、条件発生監視部１０４、落札者決定部１１０からの要求に応じ、出品者Ａ等に電子メールにより価格変動、落札等の事象の発生を通知する機能を有している。
【００３３】
図２は各データベースのデータ構造例を示す図である。（ａ）は出品情報データベース１２１のデータ構造例を示しており、オークション案件を識別する「オークションＩＤ」、当該オークション案件の状態（開催中／終了等）を示す「ステータス」、出品者を識別する「出品者ＩＤ」、出品者により入力される商品名等の「タイトル（商品名）」、出品者により入力される「商品説明」、出品者によりアップロードされる「商品画像」、出品者により入力される出品時の「出品価格」、オークションサーバ１で設定される「現在価格」、出品者により入力される出品する商品の「個数」、出品者により入力されるオークションの「開催期間」、出品者により入力される「商品発送元地域」、出品者により入力される価格変動等についての「条件」、オークションサーバ１で設定される当該商品画面への「アクセス数」、オークションサーバ１で設定される当該商品画面の「ウオッチリスト登録数」等のフィールドを有している。
【００３４】
（ｂ）はアクセス管理データベース１２２のデータ構造例を示しており、オークション案件を識別する「オークションＩＤ」、当該商品画面への「アクセス数」、当該オークション案件に対応する「商品画面ＵＲＬ」等のフィールドを有している。（ｃ）はウオッチリスト管理データベース１２３のデータ構造例を示しており、ウオッチリストへの登録を行ったユーザを識別する「ユーザＩＤ」、オークション案件を識別する「オークションＩＤ」、ウオッチリストへの登録対象となった「商品画面ＵＲＬ」等のフィールドを有している。（ｄ）はユーザ情報データベース１２４のデータ構造例を示しており、会員登録したユーザを識別する「ユーザＩＤ」、当該ユーザの「氏名」、当該ユーザの「住所」、当該ユーザの「電話番号」、当該ユーザの「メールアドレス」等のフィールドを有している。
【００３５】
<動作>
図３は上記の実施形態の処理例を示すシーケンス図である。
【００３６】
出品時においては、クライアント端末３Ａからオークションサーバ１に対して出品画面の表示要求が行われると（ステップＳ１０１）、オークションサーバ１の出品受付部１０１は出品画面の表示データをクライアント端末３Ａに送信する（ステップＳ１０２）。図４は出品画面の例を示す図であり、欄３０１の各項目につき、欄３０２に適宜に入力を行う。なお、商品画像については、「画像をアップロード」ボタン３０３をクリックすることで、画像ファイルの指定が行われる。また、オプション設定については、「オプション設定画面」ボタン３０４をクリックすることで、図５に示すオプション設定画面に遷移する。オプション設定画面では、欄３１１に現在の状況として、出品価格（開始価格）と現在価格とオークション終了までの残日数が表示される。また、「条件を追加」ボタン３１５をクリックすることで欄３１２に新たな行が追加され、各行の欄３１３に価格変動等の条件を設定することができる。欄３１４はオークションサーバ１側で自動に設定される。図示の例では、第１の条件として、残日数が３日になり、かつアクセス数が１００以下で、かつウオッチリスト登録数が５０以下である場合に、下げ額が１０００円で、その結果、変動後価格が１９０００円になり、第２の条件として、残日数が１日になり、かつアクセス数が２００以下で、かつウオッチリスト登録数が１０以下である場合に、下げ額が１０００円で、その結果、変動後価格が１８０００円になり、第３の条件として、残時間が５時間になり、かつアクセス数が２５０以下で、かつウオッチリスト登録数が１５以下である場合に、下げ額が２０００円で、その結果、変動後価格が１６０００円になることを示している。アクセス数やウオッチリスト登録数が少ないということは、インターネット利用において、「注目度が低い」ことを意味し、残り時間や入札情況よりも、販売結果を推測するのに適した指標であると考えられる。
【００３７】
また、価格変動だけではなく、所定の状況の場合に、オークションを目立たせて落札されやすくするために利用される表示オプションを発動するように設定することもできる。表示オプションとしては、注目のオークションへの表示（各カテゴリの商品一覧ページの上部にある「注目のオークション」欄に表示）、ショーケースへの表示（常設の「１００円ショーケース」をはじめ、季節やイベントに応じたさまざまなテーマに対応するショーケース欄への表示）、太字テキスト化、背景色付加、目立ちアイコン付加、表示順位変更等がある。
【００３８】
なお、オプション設定画面によるオプション設定は、出品時のみでなく、オークションの開始後であっても終了までは行うことができる。
【００３９】
図３に戻り、クライアント端末３Ａで出品者Ａが出品画面およびオプション設定画面において出品情報と価格変動等の条件の入力を行い（ステップＳ１０３）、入力完了操作を行うことで、クライアント端末３Ａからオークションサーバ１に出品情報と価格変動等の条件のデータが送信される（ステップＳ１０４）。
【００４０】
オークションサーバ１の出品受付部１０１は出品情報と価格変動等の条件のデータを受信すると、出品情報登録部１０２に引き渡し、出品情報登録部１０２は出品情報と価格変動条件を抽出し、出品情報データベース１２１に登録（保存）する（ステップＳ１０５）。また、商品画面生成・掲載部１０３は受け付けられた出品情報に基づいて商品画面を生成し、外部からアクセス可能に掲載する（ステップＳ１０６）。商品画面の閲覧は商品画面閲覧制御部１０６により制御が行われる。図６は商品画面の例を示す図であり、欄３２１に、商品名、出品者情報、商品情報、商品画像、商品説明等が表示される。また、商品画面には、この商品画面をウオッチリストに追加（登録）するための「ウオッチリストに追加」ボタン３２２が設けられ、更に、入札のための欄３２３が設けられている。
【００４１】
図３に戻り、商品画面の掲載と連動して、条件発生監視部１０４は条件発生の監視を開始する（ステップＳ１０７）。以下、条件発生監視の処理について説明する。
【００４２】
図７は条件発生監視の処理の例を示すフローチャートである。図７において、条件発生監視部１０４は、処理を開始すると（ステップＳ２０１）、出品情報データベース１２１からステータスに基づいて現時点で掲載中のオークション案件のデータを取得する（ステップＳ２０２）。
【００４３】
次いで、出品情報データベース１２１の現時点で掲載中のオークション案件のすべてについて処理が終了したか否か判断し（ステップＳ２０３）、次のデータが存在しなかったために終了したと判断される場合（ステップＳ２０３のＹｅｓ）は処理を終了する（ステップＳ２０９）。
【００４４】
また、現時点で掲載中のオークション案件のすべてについて処理が終了していないと判断した場合（ステップＳ２０３のＮｏ）、続いて、取得したデータに条件が存在するか否か判断する（ステップＳ２０４）。
【００４５】
取得したデータに条件が存在しない場合（ステップＳ２０４のＮｏ）、次のオークション案件のデータの取得（ステップＳ２０２）に移行する。
【００４６】
また、取得したデータに条件が存在する場合（ステップＳ２０４のＹｅｓ）は、条件発生となるか否か判断する（ステップＳ２０５）。例えば、図５の欄３１２に示した条件の場合、現在日時と開催期間とから計算される残日数／時間が設定された値のいずれかに該当するか否か、該当する場合にはアクセス数が設定された値に該当するか否か、更にウオッチリスト数が設定された値に該当するか否か判断する。
【００４７】
図７に戻り、条件発生と判断されなかった場合（ステップＳ２０５のＮｏ）は、次のオークション案件のデータの取得（ステップＳ２０２）に移行する。
【００４８】
また、条件発生と判断された場合（ステップＳ２０５のＹｅｓ）は、条件に従って出品価格の引き下げ等を行う（ステップＳ２０６）。図５の欄３１２に示した条件の場合、残日数が３日の条件に該当した場合、下げ額に従って１０００円だけ引き下げて１９０００円とし、残日数が１日の条件に該当した場合、下げ額に従って１０００円だけ引き下げて１８０００円とし、残時間が５時間の条件に該当した場合、下げ額に従って２０００円だけ引き下げて１６０００円とする。同様に、条件として表示オプションの発動が設定されている場合には、該当する表示オプションを有効にする。図８は注目のオークションへ追加された状態の画面例を示す図であり、カテゴリの商品一覧ページの上部にある「注目のオークション」欄３３１に該当する出品の出品簡略表示３３２が追加された状態を示している。
【００４９】
図７に戻り、条件発生監視部１０４は、出品情報制御部１０５により出品情報データベース１２１の該当するオークション案件の現在価格を更新し、商品画面生成・掲載部１０３により商品画面に反映させる（ステップＳ２０７）。図９は出品画面の価格表示欄３４１において、現在価格が１９０００円と表示された状態を示している。
【００５０】
次いで、条件発生監視部１０４は、ユーザ情報データベース１２４に登録されている該当ユーザ（出品者Ａ）に通知部１１１により出品価格の引き下げ等が行われたことを電子メール等で通知し（ステップＳ２０８）、次のオークション案件のデータの取得（ステップＳ２０２）に移行する。条件発生監視部１０４は以上の処理を所定のタイミングで繰り返し行う。
【００５１】
図３に戻り、商品の閲覧時においては、クライアント端末３Ｂからオークションサーバ１に対して商品画面の表示要求が行われると（ステップＳ１１１）、オークションサーバ１の商品画面閲覧制御部１０６は商品画面の表示データをクライアント端末３Ｂに送信する（ステップＳ１１２）。これとほぼ同時に、アクセス管理部１０７はアクセス管理データベース１２２の該当するオークション案件（オークションＩＤにより特定）のアクセス数をインクリメント（１加算）する（ステップＳ１１３）。
【００５２】
その後、クライアント端末３Ｂからウオッチリストへの登録要求が行われると（ステップＳ１１４）、ウオッチリスト管理部１０８は登録要求したユーザのユーザＩＤ（事前のログインにより既知）とオークションＩＤと商品画面ＵＲＬとを対応付けてウオッチリスト管理データベース１２３に登録する（ステップＳ１１５）。なお、ウオッチリストへの登録要求は、例えば、図６において「ウオッチリストに追加」ボタン３２２のクリックにより行われる。
【００５３】
図３に戻り、アクセス管理部１０７は、所定のタイミングで、商品画面毎のアクセス数を出品情報制御部１０５に通知し、出品情報制御部１０５は出品情報データベース１２１の対応するオークション案件のアクセス数に設定する。また、ウオッチリスト管理部１０８は、所定のタイミングで、商品画面毎のウオッチリスト登録数を集計して出品情報制御部１０５に通知し、出品情報制御部１０５は出品情報データベース１２１の対応するオークション案件のウオッチリスト登録数に設定する。
【００５４】
次いで、入札時においては、クライアント端末３Ｂで入札者Ｂが入札操作を行うと（ステップＳ１２１）、クライアント端末３Ｂからオークションサーバ１に入札要求が送信される（ステップＳ１２２）。なお、入札操作は、例えば、図９の欄３４２においてパスワード入力欄３４３にパスワードを入力し、「確認」ボタン３４４をクリックすることで行われる。
【００５５】
図３に戻り、オークションサーバ１の入札受付部１０９が入札要求を受けると、落札者決定部１１０により落札者を決定する（ステップＳ１２３）。即決方式のオークションであるため、原則として、入札時点で入札者を落札者とする。そして、落札者決定部１１０は、クライアント端末３Ｂに落札結果を送信する（ステップＳ１２４）。
【００５６】
次いで、落札者決定部１１０は出品情報制御部１０５により出品情報データベース１２１の該当するオークション案件のステータスを終了に更新し、商品画面生成・掲載部１０３により商品画面に反映させる（ステップＳ１２５）。
【００５７】
また、落札者決定部１１０は、ユーザ情報データベース１２４に登録されている該当ユーザ（出品者Ａ）に通知部１１１により落札が行われたことを電子メール等で通知する（ステップＳ１２６）。
【００５８】
<総括>
以上説明したように、本発明の実施形態によれば、次のような利点がある。
（１）出品後、設定した期間経過時のアクセス数またはウオッチリスト登録数に応じて、価格を所定間隔で引き下げることで、入札者は自身の考える最適な価格になった時点での入札〜落札の可能性が生まれ、また、出品者は価格を変えての再出品という時間的金銭的ロスを回避できるだけでなく、より多くの利用者に売買の機会を与えることが可能になる。
（２）オークション運営者にとっては、従来ならば取引が成立しなかった商品の落札率を向上させることができる。
（３）「早いもの勝ち」や「終了間際勝負」といった、時間的概念の強いインターネットオークションにおいて、新しい（利用者任意の）時間帯でのオークション利用も高まる。
（４）設定した期間経過時のアクセス数またはウオッチリスト登録数に応じて、出品画面の表示を目立たせたり、検索時に上位に表示させたりする表示オプションを自動で設定することにより、出品者は頻繁に出品状況を確認する手間を掛けず、出品情報を閲覧されやすいように設定することができる。
（５）オークション運営者にとっては有料の表示オプションの利用を促進することが可能になる。
【００５９】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００６０】
【図１】本発明の一実施形態にかかるシステムの構成例を示す図である。
【図２】各データベースのデータ構造例を示す図である。
【図３】実施形態の処理例を示すシーケンス図である。
【図４】出品画面の例を示す図である。
【図５】オプション設定画面の例を示す図である。
【図６】商品画面の例を示す図（その１）である。
【図７】条件発生監視の処理の例を示すフローチャートである。
【図８】注目のオークションへ追加された状態の画面例を示す図である。
【図９】商品画面の例を示す図（その２）である。
【符号の説明】
【００６１】
１            オークションサーバ
１０１        出品受付部
１０２        出品情報登録部
１０３        商品画面生成・掲載部
１０４        条件発生監視部
１０５        出品情報制御部
１０６        商品画面閲覧制御部
１０７        アクセス管理部
１０８        ウオッチリスト管理部
１０９        入札受付部
１１０        落札者決定部
１１１        通知部
１２１        出品情報データベース
１２２        アクセス管理データベース
１２３        ウオッチリスト管理データベース
１２４        ユーザ情報データベース
２            ネットワーク
３Ａ、３Ｂ    クライアント端末
Ａ            出品者
Ｂ            入札者
【図１】
0005133727.tif 000002
【図２】
0005133727.tif 000003
【図３】
0005133727.tif 000004
【図４】
0005133727.tif 000005
【図５】
0005133727.tif 000006
【図６】
0005133727.tif 000007
【図７】
0005133727.tif 000008
【図８】
0005133727.tif 000009
【図９】
0005133727.tif 000010